(57)【要約】【課題】液体還元剤用タンク自体を取り外す必要なく、ブームフートピンの抜き差し作業を可能とする建設機械の提供する。【解決手段】ブームフートピン１８が抜き差しされる穴１７２Ｌ，１７２Ｒが形成された支持ブラケット１７Ｌ，１７Ｒと、尿素水（液体還元剤）が貯留されるタンク本体１０ａにフィラー３０が取り付けられる尿素水タンク１０とを有し、ブームフートピン１８が抜き差しされるピン移動軌跡ＢＰ上にフィラー３０が配設される建設機械であって、フィラー３０が取り付けられるフィラーブラケット３１と、このフィラーブラケット３１をタンク本体１０ａに着脱可能に取り付ける着脱機構（フィラー取り付けボルト３２Ａ，３２Ｂ、上部取り付け部１０ｅ，下部取り付け部１０ｆ）とを設ける。【選択図】図６
2014224365.tif 000002
【特許請求の範囲】
【請求項１】
ブームフートピンが抜き差しされる穴が形成されたブーム支持部材と、
液体還元剤が貯留されるタンク本体にフィラーが取り付けられる液体還元剤用タンクとを有し、
前記ブームフートピンが抜き差しされる軌跡上に前記フィラーが配設される建設機械であって、
前記フィラーが取り付けられるブラケットと、
前記ブラケットを前記タンク本体に着脱可能に取り付ける着脱機構とを有することを特徴とする建設機械。
【請求項２】
前記フィラーは、
前記ブラケットに固定されるフィラー本体と、
該フィラー本体部の前記ブラケットに対して外側に位置する外側端部に着脱可能とされたフィラーキャップと、
該フィラー本体部の前記ブラケットに対して内側に位置する内側端部に一端部が固定されると共に、他端部が前記タンク本体の給液口に着脱可能に装着されるフィラーチューブとを有することを特徴とする請求項１記載の建設機械。
【請求項３】
前記着脱機構は、
前記タンク本体に設けられると共にネジ孔が形成された固定部と、
前記ネジ孔に螺着されることにより、前記ブラケットを前記固定部に固定する固定ネジとを有する請求項１又は２記載の建設機械。
【請求項４】
前記タンク本体は傾斜面を有し、前記フィラーは前記傾斜面に装着されることを特徴とする請求項１乃至３のいずれか一項に記載の建設機械。
【発明の詳細な説明】
【技術分野】
【０００１】
本発明は、液体還元剤が貯留される液体還元剤用タンクを備える建設機械に関する。
【背景技術】
【０００２】
近年、ディーゼルエンジンを搭載した油圧ショベル等の建設機械では、高次の排ガス規制に対応すべく、ディーゼルエンジンの排気系に排ガス処理装置が設置され、ディーゼルエンジンからの排ガスは、排気管の下流側に設けたＮＯｘ還元触媒を通って大気中に放出される。
【０００３】
従来、此種排ガス処理装置としては、尿素水溶液（液体還元剤）を用いた尿素選択還元型のＮＯｘ処理装置が多く採択され、尿素水溶液は金属製の液体還元剤用タンクに貯留されている。また、液体還元剤用タンクは液体還元剤供給パイプにより排気管に接続され、液体還元剤供給ポンプにより液体還元剤用タンク内の尿素水溶液を排気管に供給できるように構成されている（特許文献１）。
【先行技術文献】
【特許文献】
【０００４】
【特許文献１】特開２００３−２０９３６号公報
【発明の概要】
【発明が解決しようとする課題】
【０００５】
ところで、液体還元剤用タンクを上部旋回体に設置する場合、空間的制約や補給のしやすさの観点から、ブーム支持ブラケットの側方の空間が利用される場合がある。
【０００６】
しかしながら、かかる位置に液体還元剤用タンクを設置する場合、整備等のためのブームフートピンの抜き差し作業の際、液体還元剤用タンク自体を取り外す必要が生じうる。特に、液体還元剤用タンクの前側の側面にフィラーを備える構成では、フィラーがブームフートピンの抜き差し作業の邪魔となるので、液体還元剤用タンク自体を取り外す必要が生じる。これにより、作業工数が増えるという問題が生じる。
【０００７】
本発明のある態様の例示的な目的のひとつは、液体還元剤用タンク自体を取り外す必要なく、ブームフートピンの抜き差し作業を可能とする建設機械の提供を目的とする。
【課題を解決するための手段】
【０００８】
本発明のある態様によると、
ブームフートピンが抜き差しされる穴が形成されたブーム支持部材と、
液体還元剤が貯留されるタンク本体にフィラーが取り付けられる液体還元剤用タンクとを有し、
前記ブームフートピンが抜き差しされる軌跡上に前記フィラーが配設される建設機械であって、
前記フィラーが取り付けられるブラケットと、
前記ブラケットを前記タンク本体に着脱可能に取り付ける着脱機構とを有する。
【発明の効果】
【０００９】
本発明のある態様によると、液体還元剤用タンク自体を取り外す必要なく、ブームフートピンの抜き差し作業を可能とする建設機械が得られる。
【図面の簡単な説明】
【００１０】
【図１】図１は、ある実施形態である建設機械の一例として油圧ショベルを示す側面図である。
【図２】図２は、建設機械の上部旋回体を概略的に示す平面図である。
【図３】図３は、フィラーが装着された状態の液体還元剤用タンクの近傍を拡大して示す斜視図である。
【図４】図４は、液体還元剤用タンクを拡大して示す分解斜視図である。
【図５】図５は、フィラーが装着された状態の液体還元剤用タンクを拡大して示す要部側面図である。
【図６】図６は、フィラーが取り外された状態の液体還元剤用タンクを拡大して示す要部側面図である。
【図７】図７は、フィラーが取り外された状態の液体還元剤用タンクの近傍を拡大して示す斜視図である。
【図８】図８は、ブームフートピンが引き抜かれた状態の液体還元剤用タンクの近傍を拡大して示す斜視図である。
【発明を実施するための形態】
【００１１】
次に、本発明の実施の形態について図面と共に説明する。
【００１２】
図１は、本発明の一実施形態である建設機械を示している。本実施形態では、建設機械の一例として油圧ショベルを例に挙げて説明する。しかしながら、本発明は液体還元剤用タンクを有するものであれば、他の建設機械についても適用が可能なものである。
【００１３】
建設機械は、下部走行体１の上部に上部旋回体２が旋回可能に装架され、上部旋回体２の前方一側部にキャブ３が設けられている。また、上部旋回体２の前方中央部にブーム４が俯仰可能に枢着され、このブーム４の先端部にはアーム５が上下回動可能に連結されている。更に、アーム５の先端部には、バケット６が上下回動可能に取り付けられている。
【００１４】
図２は、上部旋回体の後部を概略的に示す平面図である。
【００１５】
図２に示すように、上部旋回体２の後部にはエンジンルーム７が形成され、このエンジンルーム７内にはディーゼルエンジン８が設置されている。また、ディーゼルエンジン８の前方側には冷却ファン８ｂが設けられると共に、この冷却ファン８ｂの前方にはラジエータ等を含む熱交換機ユニット１３が設置されている。
【００１６】
更に、ディーゼルエンジン８には排気管８ａが接続され、この排気管８ａの下流側には、高次の排ガス規制に対応すべく、エンジン排ガス中の窒素酸化物（以下、ＮＯｘという。）を浄化する排ガス処理装置９が設置されている。
【００１７】
排ガス処理装置９としては、液体還元剤として尿素水を用いた尿素選択還元型のＮＯｘ処理装置が採択されている。この排ガス処理装置９は、排気管８ａに備えられた還元触媒（図示せず）の上流側に尿素水を噴射して排ガス中のＮＯｘを還元し、この還元反応を還元触媒により促進してＮＯｘを無害化する構成とされている。
【００１８】
従って、この種の排ガス処理装置９を備えた建設機械には、尿素水を蓄えるための液体還元剤用タンク１０（以下、尿素水タンクという）が備えられる。
【００１９】
図３は、尿素水タンク１０の設置位置近傍を部分的に拡大して示す斜視図である。
【００２０】
図３に示すように、上部旋回体２の旋回フレーム１４の前部には左右一対のブーム取り付け用の支持ブラケット１７Ｌ，１７Ｒが立設されている。ブームフートピン１８は、この支持ブラケット１７Ｌ，１７Ｒに形成された穴１７２Ｌ，１７２Ｒに抜き差しされる。また、支持ブラケット１７Ｌの外側の側部には尿素水タンク１０が配置される。
【００２１】
この尿素水タンク１０は、上部旋回体２の外装カバー（図示せず）で囲われている。なお、尿素水タンク１０に近接して燃料タンク及びサンプタンクを配置してもよい。
【００２２】
尿素水タンク１０は樹脂製の容器であり、内部に尿素水が貯留される。この尿素水タンク１０は、尿素水供給パイプ及びインジェクタ（図示せず）等を介して排気管８ａに接続されている。よって、尿素水タンク１０内の尿素水は、尿素水供給パイプを介しインジェクタから排気管８ａに噴射される。
【００２３】
図４乃至図６は、尿素水タンク１０の具体的な構成例を示す図である。
【００２４】
図４は、液体還元剤用タンク１０からフィラー３０を取り外した状態の分解斜視図であり、図５は液体還元剤用タンク１０にフィラー３０を取り付けた状態の要部拡大図であり、図６は液体還元剤用タンク１０に３０を取り付けた状態の要部拡大図である。
【００２５】
尿素水タンク１０は、略直方体の形態を有した樹脂製のタンク本体１０ａの前方上部に傾斜面１０ｂを有している。この傾斜面１０ｂは、上方に向かうにつれて後方側に倒れる態様で傾斜する。
【００２６】
また傾斜面１０ｂには、給液口１０ｄが設けられている。この給液口１０ｄには後述するフィラー３０が着脱可能に取り付けられる。尿素水は、補給時においてこのフィラー３０を介して給液口１０ｄからタンク本体１０ａ内に補給される。
【００２７】
この補給処理を行う際、作業者は例えば２０リットル入りの重い補給用尿素水タンクを持ち、フィラー３０を介してタンク本体１０ａ内に尿素水を補給する。この補給処理を行う際、タンク本体１０ａの上面に上方に開口した給液口を設けた構成、及び床面に対して直角に延在する側面に上下に延在する側面に側方に開口した給液口を設けた場合には、補給処理が面倒となる。
【００２８】
これに対し、傾斜面１０ｂに給液口１０ｄを形成することにより、補給用尿素水タンクを高く持ち上げる必要がなくなり、また注入方向を斜め方向とすることができる。これにより、補給用尿素水タンクから液体還元剤用タンク１０への尿素水の補給処理を容易に行うことが可能になる。
【００２９】
また、傾斜面１０ｂにはレベルゲージ２８が設けられている。このレベルゲージ２８は、タンク本体１０ａ内の尿素水のレベル（液面高さ）が表示される。よって、作業者はこのレベルゲージ２８を見ながら尿素水の補給を行うことにより、尿素水が溢れ出すことを防止できる。
【００３０】
更に、この傾斜面１０ｂは、凹部１０ｃを備える。この凹部１０ｃは、尿素水タンク１０をタンク補強部材１５に対して着脱する際の把持部（持ち手）として機能する。
【００３１】
上記構成とされた樹脂製の尿素水タンク１０は、籠状（矩形状）のタンク補強部材１５内に収容される。タンク補強部材１５は、側部補強板１５Ａ、上部補強板１５Ｂ、底板１５Ｃ、及び下部補強板１５Ｄを有している。このタンク補強部材１５を構成する各板１５Ａ〜１５Ｄは、例えば鉄等の金属材或いは他の材質（尿素水タンク１０の材質よりも強度が高い材料）により形成されている。
【００３２】
側部補強板１５Ａは上下方向（図中、Ｚ１，Ｚ２方向）に延在しており、平面視でＬ字形状を有している。この側部補強板１５Ａは、尿素水タンク１０の四隅と対向する位置に配置される。
【００３３】
上部補強板１５Ｂは、隣り合う側部補強板１５Ａの上部を連結する。これにより、側部補強板１５Ａの上部は、上部補強板１５Ｂにより固定される。
【００３４】
底板１５Ｃは、タンク補強部材１５の基台となるものである。前記した側部補強板１５Ａの下端部は底板１５Ｃに固定される。また上記した尿素水タンク１０は、底板１５Ｃ上に載置される。
【００３５】
更に、底板１５Ｃの下面には、下部補強板１５Ｄが配設される。この下部補強板１５Ｄは、底板１５Ｃの長手方向（図４中、矢印Ｙ１，Ｙ２方向）に延在するよう設けられている。この下部補強板１５Ｄは、図示しないボルトにより旋回フレーム１４に固定される。これにより、タンク補強部材１５は旋回フレーム１４に固定される。なお、上記したタンク補強部材１５を構成する各板１５Ａ〜１５Ｄの接合は、例えば溶接を用いて行うことができる。
【００３６】
また、タンク補強部材１５に装着された尿素水タンク１０の上部には、ブラケット２６が取り付けられる。このブラケット２６は、タンク補強部材１５にボルト２７を用いて固定される。ブラケット２６がタンク補強部材１５に固定された状態で、ブラケット２６は尿素水タンク１０の上方への移動が規制される。
【００３７】
またブラケット２６は、水平方向に延在する上部２６ａと、尿素水タンク１０の傾斜面１０ｂに沿った傾斜面２６ｂを備えている。この傾斜面２６ｂは、上記の移動規制時において尿素水タンク１０の傾斜面１０ｂを上方から押えることにより保持する。
【００３８】
よって、タンク補強部材１５と尿素水タンク１０は、ボルト等によって互いに結合されなくても、タンクブラケット２６によりタンク補強部材１５内に収容された状態に保持される。なお、尿素水タンク１０とタンク補強部材１５との間の所定位置に、緩衝材を配設した構成としてもよい。
【００３９】
上記のようにタンクブラケット２６が配設された状態において、籠状のタンク補強部材１５は尿素水タンク１０の中央から下方の部分を保持し、タンクブラケット２６は尿素水タンク１０の中央から上方の部分を保持する。これにより、タンク補強部材１５及びタンクブラケット２６により尿素水タンク１０を確実に保持すると共に補強することができ、尿素水タンク１０の破損や周辺部品との干渉を防止することができる。
【００４０】
次に、図４乃至図６を用いてフィラー３０について説明する。
【００４１】
フィラー３０は、補給時に尿素水を尿素水タンク１０の給液口１０ｄに導くものである。このフィラー３０は、フィラー本体３０ａ、フィラーチューブ３３、及びフィラーキャップ３５等を有している。
【００４２】
フィラー本体３０ａは筒状の部材であり、金属或いは他の材料（例えば、樹脂等）により形成されている。このフィラー本体３０ａは、フィラーブラケット３１に溶接或いは接着等により取り付けられる。具体的には、フィラーブラケット３１にはフィラー本体３０ａの外径に対応した穴が形成されており、この穴にフィラー本体３０ａを挿通した上で、フィラー本体３０ａをフィラーブラケット３１に固定する。
【００４３】
この際、筒形状のフィラー本体３０ａは、その略中央位置がフィラーブラケット３１に固定される。よって固定状態において、フィラー本体３０ａの一端部はフィラーブラケット３１の外側に突出して内側突出部を形成し、他端部は内側に突出して内側突出部を形成する。
【００４４】
フィラー本体３０ａの外側突出部は、その外周にネジが形成されている。フィラーキャップ３５は、このフィラー本体３０ａの外側突出部に着脱可能に装着される。
【００４５】
フィラー本体３０ａの内側突出部には、フィラーチューブ３３の一端が締結バンド３４を用いて取り付けられる（図６参照）。またフィラーチューブ３３の他端部は、尿素水タンク１０の給液口１０ｄに着脱可能に取り付けられる。取り付け状態においては、フィラーチューブ３３の他端部は、給液口１０ｄに締結バンド３４を用いて固定される。
【００４６】
上記構成とされたフィラー３０は、フィラーブラケット３１を用いて尿素水タンク１０に着脱可能に取り付けられる。
【００４７】
フィラーブラケット３１は板状部材であり、金属或いは他の材料（例えば樹脂等）により形成されている。このフィラーブラケット３１は、中央部３１ａ、上部取り付け部３１ｂ、連結部３１ｃ、及び下部取り付け部３１ｄ等が形成されている。なお、各部３１ａ〜３１ｄは一体的に形成してもよく、また複数の板材を接合した構成としてもよい。
【００４８】
中央部３１ａには、上記したフィラー３０が取り付けられる。また中央部３１ａは、後述するようにフィラーブラケット３１を尿素水タンク１０に取り付けた状態において、タンク本体１０ａに形成された傾斜面１０ｂと略平行となる。
【００４９】
上部取り付け部３１ｂは、中央部３１ａの上端部から略水平に延在する部分である。この上部取り付け部３１ｂには、フィラー取り付けボルト３２Ａを挿通する挿通穴が形成されている。
【００５０】
連結部３１ｃは、中央部３１ａの上端部と下部取り付け部３１ｄの上端部とを接続する。
【００５１】
下部取り付け部３１ｄは、連結部３１ｃの下端部からタンク本体１０ａの傾斜面１０ｂに沿って延在する。この下部取り付け部３１ｄには、フィラー取り付けボルト３２Ｂを挿通する挿通穴が形成されている。
【００５２】
一方，尿素水タンク１０には、上部取り付け部１０ｅ及び下部取り付け部１０ｆが形成されている。上部取り付け部１０ｅは、タンク本体１０ａの上面部に形成されている。また下部取り付け部１０ｆは、傾斜面１０ｂで給液口１０ｄの下部位置に形成されている。
【００５３】
また上部取り付け部１０ｅにはネジ孔１２Ａが形成されると共に、下部取り付け部１０ｆにはネジ孔１２Ｂが形成されている。
【００５４】
この各ネジ孔１２Ａ，１２Ｂの形成位置は、フィラーブラケット３１が尿素水タンク１０に装着されたとき、フィラー取り付けボルト３２Ａ，３２Ｂの位置と対応するよう構成されている。
【００５５】
また各取り付け部１０ｅ，１０ｆは、タンク本体１０ａの表面から突出するよう形成されている。よって、取り付け部１０ｅ，１０ｆの肉厚は、タンク本体１０ａの他の部分に比べて厚くなっており高い強度を有している。よって、ネジ孔１２Ａ，１２Ｂにフィラー取り付けボルト３２Ａ，３２Ｂが着脱されても、樹脂製の尿素水タンク１０（タンク本体１０ａ）に損傷が生じるようなことはない。
【００５６】
上記したフィラー取り付けボルト３２Ａ，３２及び、これが螺着されるネジ孔１２Ａ，１２Ｂを有した各取り付け部１０ｅ，１０ｆは、フィラーブラケット３１を尿素水タンク１０に着脱可能に取り付ける着脱機構を構成する。
【００５７】
図３及び図５は、フィラー３０が尿素水タンク１０に装着された状態を示している（以下、この状態を装着状態という）。
【００５８】
装着状態において、タンク本体１０ａの上部取り付け部１０ｅ上に上部取り付け部３１ｂが位置し、傾斜面１０ｂと対向する位置に中央部３１ａが位置し、下部取り付け部１０ｆ上に下部取り付け部３１ｄが位置する。また、上部取り付け部３１ｂはフィラー取り付けボルト３２Ａをネジ孔１２Ａに螺着することにより上部取り付け部１０ｅに着脱可能に取り付けられ、下部取り付け部３１ｄはフィラー取り付けボルト３２Ｂをネジ孔１２Ｂに螺着することにより下部取り付け部１０ｆに着脱可能に取り付けられている。
【００５９】
このようにフィラーブラケット３１が尿素水タンク１０に取り付けられた状態において、フィラー３０は傾斜面１０ｂに設けられた給液口１０ｄと対向している。また、フィラーチューブ３３の内側の端部は、傾斜面１０ｂに形成された給液口１０ｄに装着されると共に締結バンド３４を用いて固定される。
【００６０】
このようにフィラー３０は、装着状態において尿素水タンク１０の傾斜面１０ｂに装着される。
【００６１】
また装着状態において、フィラー本体３０ａと給液口１０ｄは離間しており、その間に可撓変形が可能なフィラーチューブ３３が配設された構成となっている。よって、フィラー３０に外力が印加されても、この外力はフィラーブラケット３１が弾性変形し、またフィラーチューブ３３が可撓変形することにより吸収される。よって、フィラー３０に外力が印加されても、尿素水タンク１０に損傷が発生することを防止できる。
【００６２】
尿素水の補充は、フィラー３０が尿素水タンク１０に装着された状態で行われる。尿素水を補充するには、図３及び図５に示す状態からフィラーキャップ３５を回してフィラー本体３０ａから取り外す。これにより、フィラー本体３０ａの外側端部が開口した状態となる。
【００６３】
フィラー本体３０ａはフィラーチューブ３３を介して給液口１０ｄに連通している。よって補充処理を行う作業者は、フィラー本体３０ａの外側端部から尿素水を注入することにより、尿素水はフィラーチューブ３３を介して尿素水タンク１０に補充される。
【００６４】
ここで、フィラー３０とブームフートピン１８との位置関係に注目する。
【００６５】
尿素水タンク１０は、上記のように尿素水の補充（メンテナンス）を行う必要があるため、その設置位置に制約がある。また、旋回フレーム１４上にはディーゼルエンジン８等の種々の装置・機器が高密度に配設されており、尿素水タンク１０の配置を選定する場合その自由度は低い。このため、上記のように尿素水タンク１０は、支持ブラケット１７Ｌの外側の側部に配置される。
【００６６】
一方、支持ブラケット１７Ｌ，１７Ｒに形成された穴１７２Ｌ，１７２Ｒには、ブームフートピン１８が挿通される。このブームフートピン１８は、アタッチメントの交換や整備等のためにブーム４を旋回フレーム１４に着脱する際、支持ブラケット１７Ｌ，１７Ｒに対して抜き差しされる。
【００６７】
よって、尿素水タンク１０を支持ブラケット１７Ｌの外側側部に配置した場合、ブームフートピン１８を抜き差しする際にフィラー３０と干渉する可能性がある。
【００６８】
図３に矢印ＢＰで示す一点鎖線は、本実施形態において、ブームフートピン１８が支持ブラケット１７Ｌ，１７Ｒに対して抜き差しされる際のブームフートピン１８の移動軌跡の一例を示している（以下、この移動軌跡をピン移動軌跡ＢＰという）。
【００６９】
図３に示すように、フィラー３０の配設位置は、ピン移動軌跡ＢＰ上に位置した構成（オーバラップした構成）となっている。従って、ブームフートピン１８を抜き差しする際、フィラー３０は抜き差し作業の邪魔となる。
【００７０】
ところで、仮にフィラー３０が尿素水タンク１０と一体に形成されている場合（例えばフィラー３０が尿素水タンク１０と一体に樹脂成形されている場合）を想定すると、ブームフートピン１８の抜き差し作業時には、尿素水タンク１０の全体を取り外す必要が生じ、作業工数が多くなるという問題が生じる。
【００７１】
これに対して本実施形態では、フィラー３０が尿素水タンク１０に対して脱着可能に取り付けられた構成となっている。従って、ブームフートピン１８の抜き差し作業時には、フィラー３０を取り外すことにより、フィラー３０がブームフートピン１８の抜き差し作業の障害となるのを防止することができる。
【００７２】
これにより、ブームフートピン１８の抜き差し作業の作業性が向上する。また、尿素水タンク１０全体を取り外す必要がないため、作業工数を少なくすることができる。
【００７３】
次に、フィラー３０を尿素水タンク１０から取り外す手順について説明する。
【００７４】
フィラー３０を尿素水タンク１０から取り外すには、先ず給液口１０ｄとフィラーチューブ３３とを締結している締結バンド３４を取り外す。続いて、上部取り付け部１０ｅのネジ孔１２Ａに螺着されていたフィラー取り付けボルト３２Ａ、及び下部取り付け部１０ｆのネジ孔１２Ｂに螺着されていたフィラー取り付けボルト３２Ｂを取り外す。
【００７５】
続いて、フィラーブラケット３１を傾斜面１０ｂから離間するよう移動させ、フィラーブラケット３１を尿素水タンク１０から取り外す。前記したように、フィラー３０はフィラーブラケット３１に取り付けられた構成となっている。よって、フィラーブラケット３１を尿素水タンク１０から取り外すことにより、フィラー３０も尿素水タンク１０から取り外される。図４及び図６は、尿素水タンク１０からフィラー３０を取り外した状態を示している。
【００７６】
上記のようにフィラー３０の取り外し作業は、フィラーブラケット３１を尿素水タンク１０から取り外すことにより行うことができる。またフィラーブラケット３１は、傾斜面１０ｂに沿って延在する板状の部材であるため把持しやすい形状である。
【００７７】
更に、フィラー取り付けボルト３２Ａ，３２Ｂの取り外し処理及び締結バンド３４の取り外し処理も容易な処理である。よって、フィラー３０を尿素水タンク１０から取り外す処理は容易となり、ブームフートピン１８の抜き差し時における作業性の向上を図ることができる。
【００７８】
図７及び図８は、ブームフートピン１８の引き抜き処理を示している。
【００７９】
図７に示すように、フィラー３０及びフィラーブラケット３１を尿素水タンク１０から取り外すことにより、ピン移動軌跡ＢＰ上にはブームフートピン１８の引き抜きに障害となるものは存在していない。よって図８に示すように、ブームフートピン１８を支持ブラケット１７Ｌ，１７Ｒから容易に引き抜くことができる。また、ブームフートピン１８を支持ブラケット１７Ｌ，１７Ｒに差し込む場合にも、障害となるものがないため差し込み処理を容易に行うことができる。
【００８０】
以上、本発明の好ましい実施例について詳説したが、本発明は、上述した実施例に制限されることはなく、本発明の範囲を逸脱することなく、上述した実施例に種々の変形及び置換を加えることができる。
【００８１】
例えば、上述した実施形態ではフィラー３０はピン移動軌跡ＢＰとオーバーラップする態様で配設された構成を示したが、この構成は必ずしも必須ではない。
【００８２】
これは、フィラー３０がピン移動軌跡ＢＰとオーバーラップしなくても、ブームフートピン１８の抜き差し作業には比較的大きいスペースが必要であり、フィラー３０が邪魔になる場合があるためである。従って、フィラー３０が尿素水タンク１０に取り付けられる構成であれば、フィラー３０を取り外し可能であることによる上述の効果を得ることができる。
【００８３】
また上記した実施形態では、フィラー３０を尿素水タンク１０に対して脱着可能に取り付ける態様として、着脱機構をフィラー取り付けボルト３２Ａ，３２Ｂ及び取り付け部１０ｅ，１０ｆ等により構成したが、これは必ずしも必須の態様ではない。この着脱機構の態様は任意であり、例えばスライド式や嵌め込み式等を利用した着脱機構であってもよい。
【００８４】
更に上記した実施形態では、フィラーブラケット３１をその長手方向が上下方向に延在するよう配置した構成を示した。しかしながら、フィラーブラケット３１を取り付ける一対の取り付け部を傾斜面１０ｂに横方向に対向するよう配設し、フィラーブラケット３１を長手方向が横方向（Ｙ１，Ｙ２方向）に延在するよう尿素水タンク１０に取り付ける構成としてもよい。
【符号の説明】
【００８５】
１  下部走行体
２  上部旋回体
４  ブーム
７  エンジンルーム
８  ディーゼルエンジン
９  排ガス処理装置
１０  尿素水タンク（液体還元剤用タンク）
１０ａ  タンク本体
１０ｂ  傾斜面
１０ｃ  凹部
１０ｄ  給液口
１０ｅ  上部取り付け部
１０ｆ  下部取り付け部
１２Ａ，１２Ｂ  ネジ孔
１３  熱交換機ユニット
１４  旋回フレーム
１５  タンク補強部材
１５Ａ  側部補強板
１５Ｂ  上部補強板
１５Ｃ  底板
１５Ｄ  下部補強板
１７Ｌ，１７Ｒ  支持ブラケット
１８  ブームフートピン
２６  タンクブラケット
２７  タンク固定ボルト
３０  フィラー３０
３０ａ  フィラー本体
３１  フィラーブラケット
３１ａ  中央部
３１ｂ  上部取り付け部
３１ｄ  下部取り付け部
３２Ａ，３２Ｂ  フィラー取り付けボルト
３３  フィラーチューブ
３４  締結バンド
３５  フィラーキャップ
【図１】
2014224365.tif 000003
【図２】
2014224365.tif 000004
【図３】
2014224365.tif 000005
【図４】
2014224365.tif 000006
【図５】
2014224365.tif 000007
【図６】
2014224365.tif 000008
【図７】
2014224365.tif 000009
【図８】
2014224365.tif 000010